(57)【要約】【課題】異なるフォーマットで作成された複数の異なるデータのうち特定のデータだけを画像データとリンク可能にする。【解決手段】コンテンツ記録再生装置１は、記録媒体９０上の複数の異なるフォーマットに基づくデータを記録又は再生するデータ記録再生制御部と、リンク情報を記憶するリンク情報メモリ１０と、オーディオデータ出力部６と、オーディオデータ処理部７と、撮像素子などによって画像データを取得する画像取得部１２と、画像などを表示する表示部１３等を備え、制御部９は、リンク情報に基づいて関連付けた許可されたデータに対応付けて画像データの再生を制御する。リンク情報メモリ１０には、リンク情報が、ＡＴＲＡＣ方式、ＡＴＲＡＣ３方式、ＡＴＲＡＣ３ｐｌｕｓ方式というフォーマットのデータに対して、ＪＰＥＧ形式、ＧＩＦ形式、ＴＩＦＦ形式等、汎用フォーマットに基づく画像データをリンク可能とすることを表した対応テーブルとして記憶される。【選択図】図２
2005203076.tif 000002
【特許請求の範囲】
【請求項１】
所定のエンコード方式でエンコードされたオーディオデータが記録される第１の記録領域と、記録データが記録される第２の記録領域とを備える記録媒体を再生する再生装置において、
上記記録媒体に記録されたデータを読み出す読出し手段と、
上記所定のエンコード方式でエンコードされたオーディオデータをデコードするデコード手段と、
上記第１の記録領域に記録されたオーディオデータの再生時に上記第２の領域に記録されたデータの再生が許可される上記第１の記録領域に記録されたオーディオデータのエンコード形式と上記第２の記録領域に記録されたデータ形式とが関連付けられて記憶されている記憶手段と、
上記記録媒体から読出されるオーディオデータが上記第１の記録領域から読出されたときのみ上記記憶手段から上記オーディオデータの再生中に上記第２の記録領域に記録されたデータの再生が許可される上記オーディオデータのエンコード形式を読出し、上記オーディオデータの再生中に上記第２の記録領域に記録されたデータの再生が許可されたオーディオデータである場合には、上記第１の領域から読出されるオーディオデータに関連付けられたデータを上記第２の領域から読出して再生する制御手段と
を備えることを特徴とする再生装置。
【請求項２】
上記第１の記録領域に記録されているオーディオデータは、暗号化されて記録されていることを特徴とする請求項１記載の再生装置。
【請求項３】
上記第２の記録領域から再生される上記第１の記録領域に記録されたデータの再生に関連付けられたデータは、画像データであることを特徴とする請求項１記載の再生装置。
【請求項４】
所定のエンコード方式でエンコードされたオーディオデータが記録される第１の記録領域と、記録データが記録される第２の記録領域とを備える記録媒体を再生する再生方法において、
上記第１の記録領域からオーディオデータの再生が指定されたときのみ、指定されたオーディオデータに施されているエンコード方式を検出するステップと、
上記検出されたエンコード方式が上記第１の記録領域に記録されたオーディオデータの再生に関連付けて上記第２の記録領域に記録された記録データの再生が許可されているか否かを判別するステップと、
上記検出されたエンコード方式が上記第１の記録領域に記録されたオーディオデータの再生に関連付けて上記第２の記録領域に記録された記録データの再生が許可されていると判別された場合、上記第１の記録領域から指定されたオーディオデータを再生するとともに上記オーディオデータの再生に関連付けられた上記第２の記録領域に記録されている記録データを再生するステップと
を有することを特徴とする再生方法。
【請求項５】
上記第１の記録領域に記録されているオーディオデータは所定の暗号形式で暗号化されていることを特徴とする請求項４記載の再生方法。
【請求項６】
上記第２の記録領域から上記第１の記録領域に記録されたオーディオデータに関連付けられて再生される記録データは画像データであることを特徴とする請求項４記載の再生方法。
【請求項７】
上記第１の記録領域に記録されたオーディオデータの再生に関連付けた上記第２の記録領域の記録データの再生は、上記記録媒体に記録された関連情報に基づいて行われることを特徴とする請求項４記載の再生方法。
【請求項８】
所定のエンコードが施されたオーディオデータが記録される第１の記録領域と、記録データが記録されるオーディオデータの記録が可能な第２の記録領域と、上記第１の記録領域と第２の記録領域の記録の管理をする管理データが記録される管理データ記録領域とを備える記録媒体から上記第１の記録領域に記録されたデータを再生する再生装置において、
上記記録媒体に記録された管理データと記録データとを上記記録媒体から読み出す読み出し手段と、
上記第１の記録領域から読み出されるオーディオデータのデコードをするオーディオデコード手段と、
上記第２の記録領域から読み出される画像データをデコードする画像データデコード手段と、
上記第２の記録領域に記録されている画像データが上記画像データデコード手段によるデコード再生中に、再生が許可される上記第１の記録領域に記録されたオーディオデータのデコード方式が記憶される記憶手段と、
上記第２の記録領域に記録されている画像データが再生されるときに、上記記憶手段から上記画像データの再生中に再生が許可されているオーディオデータ形式のオーディオの再生が指示された場合にのみ上記第１の記録領域に記録されたオーディオデータを読み出して上記オーディオデコード手段でデコード再生されるように制御する制御手段と
を備えることを特徴とする再生装置。
【請求項９】
オーディオデータと上記オーディオデータの再生に同期して再生される関連データとを記録媒体に記録するコンテンツ記録方法において、
所定のエンコード形式でエンコードされたオーディオデータが入力される場合に、上記記録媒体の所定の第１の記録領域に上記入力されるオーディオデータを記録するステップと、
上記第１の記録領域に記録されるオーディオデータに施されたエンコード方式が、上記第１の記録領域とは異なる第２の記録領域に記録される記録データと関連付けが許可されているか否かを判別するステップと、
上記第１の記録領域に記録されたオーディオデータと上記第２の記録領域に記録された記録データとを関連付けるステップと
を有することを特徴とするコンテンツ記録方法。
【請求項１０】
上記関連付けの許可をメモリから読出すことを特徴とする請求項９記載のコンテンツ記録方法。
【請求項１１】
上記第１の記録領域に記録されたオーディオデータと上記第２の記録領域に記録された記録データとを関連付けた関連付けデータを上記記録媒体に記録するステップを更に備えることを特徴とする請求項９記載のコンテンツ記録方法。
【請求項１２】
上記入力されるオーディオデータが上記第２の記録領域に記録される場合には、上記第２の記録領域に記録される記録データとの関連付けを抑止することを特徴とする請求項９記載のコンテンツ記録方法。
【発明の詳細な説明】
【技術分野】
【０００１】
本願発明は、記録媒体に、所定のエンコード方式でエンコードされたオーディオデータが所定の第１の領域に記録され、記録媒体に記録されたオーディオデータのうち、第１の記録領域に記録されたオーディオデータのみに、第２の記録領域に記録された記録データと関連付けてオーディオデータと記録データの再生を行う再生と記録に関する。
【背景技術】
【０００２】
近年、ディスク等の記録媒体は、大容量化のための技術が各種開発されている。また、１つのメディアについて多様なデータ、例えば、オーディオデータ、コンピュータ用途のデータ等を自在に記録再生できるようにすることも求められている。しかし、汎用的なメディアの開発に関しては、旧来の記録再生装置等の互換性、整合性も重要とされる。また、物理的にみても、旧来の資産を有効利用できることが好ましい。
【０００３】
現在広く普及しているミニディスク（Mini Disc：ＭＤ（登録商標））を例にあげる。ミニディスクは、公知のとおり、直径６４ｍｍの光磁気ディスクであって、音楽等のオーディオデータを記録再生できる。ミニディスクでは、オーディオデータは、ＡＴＲＡＣ方式によってデータ量が１／５〜１／１０に圧縮されて記録される。オーディオデータを例にとると、８０〜１６０分程度の記録が可能となっている。
【０００４】
オーディオ用のミニディスクは、ユーザが容易に入手可能であることから、このミニディスクをコンピュータ用のデータストレージメディア等、音楽用途以外に幅広く利用できるようになると都合がよいのであるが、記録容量が１６０ＭＢ程度と小さいうえ、メディア固有のＩＤ等の著作権保護情報を記録する領域が用意されていない。そのため、広範囲なデータストレージとして音楽映像配信等に利用することを想定した場合、配信したコンテンツの著作権保護等の要請に対応できないといった問題点がある。また、オーディオデータ記録領域以外の固有の管理領域による管理方式（ＰＴＯＣ（Pre-mastered Table Of Contents）、ＵＴＯＣ（User Table Of Contents））を採用しているため、例えば、ＦＡＴシステム等の汎用のファイルシステム用途に対応させることが困難である。
【０００５】
更に、ＵＴＯＣ管理下のトラックにオーディオ以外のデータを記録した場合、多くのオーディオ機器（ＭＤプレーヤ）で再生時に異音が発生する等の不具合が生じてしまう。つまり、オーディオ用ミニディスクを汎用的なストレージメディアとして利用することを想定した場合、記録容量、管理システム、著作権保護関係等の特殊情報、旧来機種での不具合等が問題になっていた。
【０００６】
ミニディスクシステムにおいてオーディオデータ以外のデータ記録を目的とした規格として、“ＭＤ−ＤＡＴＡ”、又は“ＭＤ−ＣＬＩＰ”と呼ばれるディスク規格が既に開発されているが、ＭＤ−ＤＡＴＡは、オーディオ用ＭＤとは異なる専用ディスクである点、また、ＭＤ−ＤＡＴＡ対応の専用の記録再生装置でないと利用できない点、記録容量が１４０ＭＢ程度である点等、上記要望を満たすものではない。また、ＭＤ−ＣＬＩＰは、オーディオ用ＭＤが使用でき、またＵＴＯＣ管理対象外であった内周部分を利用することから、従来のオーディオ機器において不都合はないが、汎用データ記録領域が２ＭＢ程度しかないために自ずと用途が限定されてしまっていた。
【０００７】
そこで、トラックピッチを狭くし、線速度及び変調方式を変更する等の改良を加えることで記録データの高密度化を実現し、更に、通常の記録領域に加えて認証によって使用可能となる秘匿領域（セキュア領域）を設けることによって、上述の不具合を解決した次世代ミニディスクが提案されている。次世代ミニディスクでは、著作権が発生する音楽コンテンツ、映像コンテンツ等のデータは、所定フォーマットでセキュア領域に記録され、セキュア領域を参照可能な装置によってのみ再生できるようになっている。
【０００８】
従来、映像データと音声データは、ファイル形式に関係なくリンクすることができた。例えば、画像データ付き音楽ＣＤのような場合である。また、複数の異種データベース間では、複数の入力ファイルのデータ項目、ファイル形式と入力ファイルとを結合するための条件、結合結果を格納する出力ファイルのデータ項目、ファイル形式を定義する定義ファイル等を読み込んで出力ファイルのレコードエリアをメモリ上に作成し、そのレイアウトにしたがって対象とする複数の入力ファイルを読み出してレコードエリアに格納し、出力ファイルを作成することによって、異種データベース間のデータを結合する技術も提案されている（例えば、特許文献１参照。）。
【０００９】
【特許文献１】特開２０００−２５９４６１号公報
【発明の開示】
【発明が解決しようとする課題】
【００１０】
しかし、圧縮符号化形式は機器によっても多様化しており、ある種の圧縮符号化フォーマットに基づいて符号化されたデータは、ある機器ではサポートされていないという事態が起こりうる。特に、上述した次世代ミニディスクでは、決められたフォーマットに基づいて圧縮符号化された音楽データは認証が必要なセキュア領域に記録され、それ以外の音楽データは非セキュア領域に記録されるようになっているため、次世代ミニディスクに対応した記録再生機器にて作成した音楽データと画像データとのリンクは、他の機器では再生不可能であったり、音楽データのみが再生可能であったりする。この場合、リンク後のコンテンツは、これら両機器間で互換できないデータになってしまう。また、セキュア領域を用意して、ここに記録されるデータの著作権保護を実現したにも関わらず、他のデータとリンクさせようとしたときに保護できないデータとして扱われてしまうことも問題であった。
【００１１】
本発明は、異なるフォーマットで作成された複数の異なるデータのうち特定のデータに対してのみ画像データをリンク可能とするコンテンツ再生装置及びコンテンツ再生方法、並びにコンテンツ記録装置及びコンテンツ記録方法を提供することを目的とする。
【課題を解決するための手段】
【００１２】
本発明の目的は、所定のエンコード方式でエンコードされたオーディオデータが記録される第１の記録領域と、記録データが記録される第２の記録領域とを備える記録媒体を再生する再生装置において、上記記録媒体に記録されたデータを読み出す読出し手段と、上記所定のエンコード方式でエンコードされたオーディオデータをデコードするデコード手段と、上記第１の記録領域に記録されたオーディオデータの再生時に上記第２の領域に記録されたデータの再生が許可される上記第１の記録領域に記録されたオーディオデータのエンコード形式と上記第２の記録領域に記録されたデータ形式とが関連付けられて記憶されている記憶手段と、上記記録媒体から読出されるオーディオデータが上記第１の記録領域から読出されたときのみ上記記憶手段から上記オーディオデータの再生中に上記第２の記録領域に記録されたデータの再生が許可される上記オーディオデータのエンコード形式を読出し、上記オーディオデータの再生中に上記第２の記録領域に記録されたデータの再生が許可されたオーディオデータである場合には、上記第１の領域から読出されるオーディオデータに関連付けられたデータを上記第２の領域から読出して再生する制御手段とを備える再生装置を提供することにある。
【００１３】
更に本願発明の目的は、所定のエンコード方式でエンコードされたオーディオデータが記録される第１の記録領域と、記録データが記録される第２の記録領域とを備える記録媒体を再生する再生方法において、上記第１の記録領域からオーディオデータの再生が指定されたときのみ、指定されたオーディオデータに施されているエンコード方式を検出し、上記検出されたエンコード方式が上記第１の記録領域に記録されたオーディオデータの再生に関連付けて上記第２の記録領域に記録された記録データの再生が許可されているか否かを判別し、上記検出されたエンコード方式が上記第１の記録領域に記録されたオーディオデータの再生に関連付けて上記第２の記録領域に記録された記録データの再生が許可されていると判別された場合、上記第１の記録領域から指定されたオーディオデータを再生するとともに上記オーディオデータの再生に関連付けられた上記第２の記録領域に記録されている記録データを再生する再生方法を提供することにある。
【００１４】
更に本願発明の目的は、所定のエンコードが施されたオーディオデータが記録される第１の記録領域と、記録データが記録されるオーディオデータの記録が可能な第２の記録領域と、上記第１の記録領域と第２の記録領域の記録の管理をする管理データが記録される管理データ記録領域とを備える記録媒体から上記第１の記録領域に記録されたデータを再生する再生装置において、上記記録媒体に記録された管理データと記録データとを上記記録媒体から読み出す読み出し手段と、上記第１の記録領域から読み出されるオーディオデータのデコードをするオーディオデコード手段と、上記第２の記録領域から読み出される画像データをデコードする画像データデコード手段と、上記第２の記録領域に記録されている画像データが上記画像データデコード手段によるデコード再生中に、再生が許可される上記第１の記録領域に記録されたオーディオデータのデコード方式が記憶される記憶手段と、上記第２の記録領域に記録されている画像データが再生されるときに、上記記憶手段から上記画像データの再生中に再生が許可されているオーディオデータ形式のオーディオの再生が指示された場合にのみ上記第１の記録領域に記録されたオーディオデータを読み出して上記オーディオデコード手段にてデコード再生されるように制御する制御手段とを備える再生装置を提供することにある。
【００１５】
更に本願発明の目的は、オーディオデータと上記オーディオデータの再生に同期して再生される関連データとを記録媒体に記録するコンテンツ記録方法において、所定のエンコード形式でエンコードされたオーディオデータが入力される場合に、上記記録媒体の所定の第１の記録領域に上記入力されるオーディオデータを記録し、上記第１の記録領域に記録されるオーディオデータに施されたエンコード方式が、上記第１の記録領域とは異なる第２の記録領域に記録される記録データと関連付けが許可されているか否かを判別し、上記第１の記録領域に記録されたオーディオデータと上記第２の記録領域に記録された記録データとを関連付ける記録方法を提供することにある。
【発明の効果】
【００１６】
本発明によれば、第１の記録領域に異なるフォーマットで作成された複数の異なるデータのうち、特定フォーマットに基づいて作成された特定データのみが第２の記録領域に記録された記録データとリンク可能になる。
【発明を実施するための最良の形態】
【００１７】
本具体例では、ディスク状の光磁気記録媒体として、ミニディスク（登録商標）方式の記録媒体に適用した場合に関して説明する。本発明の具体例として示すコンテンツ記録再生装置は、異なるフォーマットで作成された複数の異なるデータ及び画像データを含むコンテンツデータが記録された記録媒体からこれらのコンテンツデータを再生するコンテンツ記録再生装置である。このコンテンツ再生装置によって再生可能なミニディスクは、例えば、オーディオデータ、ＰＣデータ等のように異なるフォーマットで作成された異なるデータを扱うことができ、認証によって使用可能となる秘匿領域と、認証することなく使用可能な通常記録領域とを有する。秘匿領域は、著作権が発生する音楽コンテンツ、映像コンテンツ等の特定のデータのみが記録できる領域であって、本具体例では、ＡＴＲＡＣ（登録商標）形式のオーディオデータは、この秘匿領域に記録可能な特定データとして扱われる。ＭＰ３（MPEG1 Audio Layer-3）形式、ＷＭＡ（Windows（登録商標） Media Audio）形式等、ＡＴＲＡＣ以外のオーディオデータ、画像データ、テキストデータ等のデータは、通常記録領域に記録される。秘匿領域と通常記録領域とを有するミニディスクの詳細については、後述する。
【００１８】
本発明の具体例として示すコンテンツ記録再生装置１の概略について、図１を用いて説明する。コンテンツ記録再生装置１は、異なるフォーマットで作成された複数の異なるデータ及び画像データを含むコンテンツデータが記録されるミニディスクを例とした記録媒体９０を再生することができる装置である。
【００１９】
コンテンツ記録再生装置１は、記録媒体９０に対するデータの記録再生を行うとともにオーディオデータの入出力や外部接続装置とのデータ伝送を行いコンテンツ記録再生装置１の制御を行うデータ記録再生制御部２と画像データの取得と表示を行う画像処理部３とから構成されている。データ記録再生制御部２は、記録媒体９０に対する記録データの記録や再生をする記録再生部４と、マイクなどからオーディオデータを入力されるオーディオデータ入力部５と、ヘッドホンなどへオーディオデータを出力するオーディオデータ出力部６と、入力されるオーディオデータに対してエンコード処理を行ったり出力されるオーディオデータをデコード処理するオーディオデータ処理部７と、外部接続装置とデータ伝送を行うための外部インターフェイス部８と、コンテンツ記録再生装置１の動作を制御する制御部９と、記録媒体９０に記録されるオーディオデータフォーマットのうち画像フォーマットと関連付けが許可されるオーディオデータフォーマットと画像データフォーマットとの対応が記憶されるリンク情報メモリ１０と、ユーザの操作が入力される入力操作部１１とを備えている。画像処理部３は、撮像素子などによって画像を取得する画像取得部１２と、画像取得部１２から取得された画像や記録媒体９０に記録されている画像などを表示する表示部１３と、制御部９の制御に基づいて画像の取得や画像の表示の制御を行う画像データ制御部１４とを備えている。
【００２０】
ここで、記録媒体９０に関して説明を加える。記録媒体９０の通常のデータ再生動作時にはアクセスできない所定領域に、記録媒体ごとにユニークな識別情報としてＩＤコードが記録されている。このＩＤコードは、記録媒体の種別によって、消去可能な情報として記録装置で任意に発生して記録される場合と、工場出荷時に上書き不可能な状態に記録される場合とがある。
【００２１】
本具体例にて説明するコンテンツ記録再生装置１では、オーディオデータは秘匿領域に記録され、画像データは通常記録領域に記録される。したがって、リンク情報メモリ１０に記憶されるリンク情報は、図２に示すように、ここでは、ＡＴＲＡＣ（Adaptive TRansform Acoustic Coding）方式、ＡＴＲＡＣ３方式、ＡＴＲＡＣ３ｐｌｕｓ方式という、ＡＴＲＡＣファミリフォーマットのデータに対して、ＪＰＥＧ形式、ＧＩＦ形式、ＴＩＦＦ形式等、汎用フォーマットに基づく画像データがリンク可能とされることを示した対応テーブルとして示されている。そして、再生制御部４は、リンク情報に基づいてリンクが許可されたオーディオデータに対応付けて画像データを再生する。
【００２２】
すなわち、コンテンツ記録再生装置１では、ＭＰ３形式、ＷＭＡ形式等の、ＡＴＲＡＣファミリ形式以外のオーディオデータは、通常記録領域に記録され、これら通常記録領域に記録されるオーディオデータと通常記録領域に記録される画像データとは互いにリンクできないことになる。リンク情報は、秘匿領域に記録されたオーディオデータと通常記録領域に記録された画像データとのリンクを示したものであるが、このほかに、リンク可能な画像データをオーディオデータにリンクするタイミングを示したタイミングテーブルがある。
【００２３】
リンクタイミングテーブルを図３に示す。リンクタイミングテーブルには、オーディオファイル名と、画像データファイル名とが対応付けられており、オーディオファイルに対して画像データファイルを表示開始する時間情報及び終了する時間情報が記述されている。この時刻情報は、オーディオファイルの再生時間情報である。
【００２４】
但し、リンクタイミングテーブルに示されたオーディオファイルは、秘匿領域に記録されるＡＴＲＡＣファミリ形式に基づくオーディオファイルである。また、ここでリンクされる画像データファイルは、秘匿領域に記録されるデータとして扱われる映像コンテンツ等のデータとは区別する。リンクタイミングテーブルは、記録媒体（ミニディスク）９０の秘匿領域に記録されているものとする。リンクタイミングテーブルによって、オーディオデータにリンク可能な画像データがこのタイミングでオーディオデータに同期して表示される。
【００２５】
なお、本具体例では、リンク情報がコンテンツ記録再生装置１に設けられたリンク情報メモリ１０に記憶されるとしているが、例えば、ミニディスク９０内の秘匿領域に記録されてもよい。
【００２６】
また、リンクタイミングテーブルは、秘匿領域に置かれる必要がないシステムにおいては、通常記録領域に記録されるようにしてもよい。更に、リンクタイムテーブルは、記録媒体９０が備えるＩＤコードとともにコンテンツ記録再生装置１のリンク情報メモリ１０に記憶されるようにし、記録媒体９０がコンテンツ記録再生装置１に装着されたことが検出された場合に、記録媒体９０に記録されたＩＤコードを読み出してリンク情報メモリ１０に同一のＩＤコードが存在すると判断される場合には、リンク情報メモリ１０から上記ＩＤとともに記憶されたリンクタイミングテーブルを読み出して利用するようにしてもよい。
【００２７】
コンテンツ記録再生装置１の具体例について、図４を用いて説明する。なお、図１と同一のブロックについては同一の記号が割り当てられている。コンテンツ記録再生装置１は、データ記録再生制御部２と画像処理部３とを備えている。データ記録再生制御部２は、記録再生部４，オ−ディオデータ入力部５，オーディオデータ出力部６，オーディオデータ処理部７，外部インターフェイス部８，制御部９，リンク情報メモリ１０，入力操作部１１，メモリ転送コントローラ１５，バッファメモリ１６、補助メモリ１７、画像データ処理部２１を備えている。画像処理部３は、画像取得部１２，表示部１３，画像データ制御部１４を備えている。更にデータ記録再生制御部２の外部インターフェイス部８は、ＵＳＢハブ１８，ＵＳＢインターフェイス１９及び２０を備えている。コンテンツ記録再生装置１は、パーソナルコンピュータ（ＰＣ）１００と接続でき、ミニディスクをオーディオデータ記録メディアとして使用できるほか、ＰＣ等の外部ストレージとしても使用できる。
【００２８】
コンテンツ記録再生装置１における記録再生部４は、装填されたミニディスク等の記録媒体９０に対する記録及び／又は再生を行う記録再生部４の内部構成は、図５にて説明する。
【００２９】
メモリ転送コントローラ１５は、記録再生部４からの再生データ又は記録再生部４に供給する記録データの送受制御を行う。バッファメモリ１６は、記録再生部４によってミニディスク９０のデータトラックから高密度データクラスタ単位で読み出されたデータをメモリ転送コントローラ１５の制御に基づいてバッファリングする。補助メモリ１７は、記録再生部４によってミニディスク９０から読み出されたＵＴＯＣデータ等の各種管理情報、秘匿領域に記録される著作権保護のための情報、データ改竄チェックのための情報、限定的にアクセスを許可する外部機器情報等をメモリ転送コントローラ１５の制御に基づいて記憶する。
【００３０】
制御部９は、ＵＳＢインターフェイス２０、ＵＳＢハブ１８を介して接続されたＰＣ１００との間で通信可能である。制御部９は、このＰＣ１００との間の通信制御を行って、ＰＣ１００からの書込要求、読出要求等のコマンドの受信、ＰＣ１００へのステイタス情報、その他の必要情報の送信等を行うとともにコンテンツ記録再生装置１全体を統括制御している。制御部９は、例えば、ミニディスク９０が記録再生部４に装填されると、ミニディスク９０の管理情報記録領域から管理情報等を読み出すよう記録再生部４に指示し、読み出されたＰＴＯＣ、ＵＴＯＣ等の管理情報等をメモリ転送コントローラ１５によって補助メモリ１７に格納させる。また、制御部９は、これらの管理情報を読み込むことによって、ミニディスク９０のトラック記録状態を把握できる。
【００３１】
制御部９は、ＰＣ１００から、あるＦＡＴセクタの読出要求があった場合、記録再生部４に対して、読み出しを要求されたＦＡＴセクタを含むデータクラスタの読出を実行する旨の制御信号を与える。記録再生部４によって読み出されたデータクラスタは、メモリ転送コントローラ１５によってバッファメモリ１６に書き込まれる。但し、既にＦＡＴセクタのデータがバッファメモリ１６に格納されていた場合、記録再生部４による読出は必要ない。このとき、制御部９は、バッファメモリ１６に書き込まれている高密度データクラスタのデータから、要求されたＦＡＴセクタのデータを読み出す制御信号を与え、ＵＳＢインターフェイス２０、ＵＳＢハブ１８を介して、ＰＣ１００に送信するための制御を行う。
【００３２】
また、制御部９は、ＰＣ１００から、あるＦＡＴセクタの書込要求があった場合、記録再生部４に対して、書き込みが要求されたＦＡＴセクタを含むデータクラスタの読出を実行させる。読み出されたデータクラスタは、メモリ転送コントローラ１５によってバッファメモリ１６に書き込まれる。但し、既にこのＦＡＴセクタのデータがバッファメモリ１６に格納されていた場合は、記録再生部４による読出は必要ない。また、制御部９は、ＰＣ１００から送信されたＦＡＴセクタの記録データをＵＳＢインターフェイス２０を介してメモリ転送コントローラ１５に供給し、バッファメモリ１６上で該当するＦＡＴセクタのデータの書き換えを実行させる。更に制御部９は、メモリ転送コントローラ１５に指示して、必要なＦＡＴセクタが書き換えられた状態でバッファメモリ１６に記憶されているデータクラスタのデータを記録データとして記録再生部４に転送させる。このとき、記録再生部４は、装着されている記録媒体であるミニディスクが対応している変調方式でデータクラスタの記録データを変調して書き込む。
【００３３】
なお、本具体例として示すコンテンツ記録再生装置１において、上述した記録再生制御は、データトラックを記録再生する際の制御であり、オーディオトラックに記録再生されるＭＤオーディオデータを記録再生する際のデータ転送は、音声データ処理部７を介して行われる。また、画像取得部１２にて取得された画像データは、ユーザによる編集に応じてリンク情報にしたがってリンク可能である場合に、画像データ制御部１４を介してミニディスク９０に記録される。このとき制御部９は、リンクタイミングテーブルを作成してミニディスク９０に記録する。ミニディスク９０に記録される画像データは画像データ処理部２１によって所定の画像エンコードを施されデータ圧縮される。ミニディスク９０から再生された画像データは、表示部１３にて再生される。ミニディスク９０から再生された画像データは画像データ処理部２１において画像データデコードが行われデータ伸長処理される。また、コンテンツ記録再生装置１は画像データ制御部１４に対して画像データが外部から入力される入力端子や外部へ画像データが出力される出力端子を備えるように構成されていてもよい。
【００３４】
オーディオデータ処理部７に対する入力系としてオーディオデータ入力部５は、例えば、ライン入力回路／マイクロフォン入力回路等のアナログオーディオ信号入力部、Ａ／Ｄ変換器、及びデジタルオーディオデータ入力部を備える。また、オーディオデータ処理部１９は、ＡＴＲＡＣ圧縮エンコーダ／デコーダ、圧縮データのバッファメモリを備える。更に、オーディオデータ処理部７に対する出力系としてオーディオ出力部６は、例えばデジタルオーディオデータ出力部、Ｄ／Ａ変換器及びライン出力回路／ヘッドホン出力回路等のアナログオーディオ信号出力部を備えている。
【００３５】
記録媒体であるミニディスク９０に対してオーディオトラックが記録される第１の経路は、オーディオデータ処理部７にデジタルオーディオデータ、又はオーディオデータ入力部５のＡ／Ｄ変換器にてアナログオーディオ信号が信号変換されたデジタルオーディオ信号が入力される場合である。入力されたリニアＰＣＭデジタルオーディオデータ、或いはアナログオーディオ信号で入力された後Ａ／Ｄ変換器で変換されて得られたリニアＰＣＭオーディオデータは、ＡＴＲＡＣ圧縮エンコードされ、バッファメモリ１６に蓄積される。その後、所定タイミング、例えばＡＤＩＰクラスタ相当のデータ単位でバッファメモリ１６から読み出され、記録再生部４に転送される。記録再生部４では、転送された圧縮データをＥＦＭ変調方式又はＲＬＬ（１−７）ＰＰ変調方式で変調してミニディスク９０の秘匿領域にオーディオトラックとして書き込む。記録媒体であるミニディスク９０に対してオーディオトラックが記録される第２の場合は、パーソナルコンピュータ１００から秘匿領域に記録されることが許可されたオーディオデータが入力された場合である。この場合、パーソナルコンピュータ１００と制御部９との間でＵＳＢハブ１８，ＵＳＢインターフェイス２０を介して記録媒体９０に記録されるデータがオーディオデータとして秘匿領域に記録が許可されているデータであるか否かのチェックが行われ、記録媒体９０の秘匿領域にオーディオデータとして記録が許可されたデータであることが認識された場合に、制御部９はメモリ転送コントローラに対してパーソナルコンピュータ１００から入力される指定されたオーディオデータが記録再生部４によって記録媒体９０の秘匿領域に記録されるように指示を与える。記録媒体９０の秘匿領域への記録が許可された場合、パーソナルコンピュータ１００は、ＵＳＢハブ１８，ＵＳＢインターフェイス１９を介してオーディオデータファイルをメモリ転送コントローラに転送し、転送されたオーディオデータファイルは、バッファメモリ１６に一時的に記憶される。その後、所定タイミング、例えばＡＤＩＰクラスタ相当のデータ単位でバッファメモリ１６から読み出され、記録再生部４に転送される。記録再生部４では、転送された圧縮データをＥＦＭ変調方式又はＲＬＬ（１−７）ＰＰ変調方式で変調してミニディスク９０の秘匿領域にオーディオトラックとして書き込む。
【００３６】
リンク画像として使用する画像データ及びＡＴＲＡＣ以外の圧縮方式で圧縮された音楽データは、通常記録領域に一般データとして書き込まれる。
【００３７】
記録再生部４は、ミニディスク９０から秘匿領域に記録されたオーディオトラックを再生する場合、再生データをＡＴＲＡＣ圧縮データ状態に復調してオーディオデータ処理部７に転送する。オーディオデータ処理部７は、記録媒体９０から再生されたＡＴＲＡＣエンコードされたオーディオデータをＡＴＲＡＣ圧縮デコードを行ってリニアＰＣＭオーディオデータとし、オーディオデータ出力部６からデジタルデータとして出力する。或いは、Ｄ／Ａ変換器によりアナログ音声信号としてライン出力／ヘッドホン出力を行う。
【００３８】
なお、図４に示す構成は一例であって、例えば、コンテンツ記録再生装置１をＰＣ１００に接続してデータトラックのみ記録再生する外部ストレージ機器として使用する場合、オーディオデータ処理部７は不要になる。一方、オーディオ信号を記録再生することを主たる目的とする場合、オーディオデータ処理部７を備え、更にユーザインタフェースとして表示部を備えることが好適である。また、ＰＣ１００との接続は、ＵＳＢに限らず、例えば、ＩＥＥＥ（The Institute of Electrical and Electronics Engineers,Inc.：アメリカ電気・電子技術者協会）の定める規格に準拠した、いわゆるＩＥＥＥ１３９４インターフェイスのほか、汎用の接続インターフェイスが適用できる。
【００３９】
続いて、コンテンツ記録再生装置１における記録再生部４、オーディオデータ処理部７、オーディオデータ入力部５及びオーディオデータ出力部６の周辺構成について、図５を用いて詳細に説明する。本発明に係るコンテンツ記録再生装置１は、秘匿領域と通常記録領域とを動的に形成するミニディスクに異なるフォーマットで作成された複数の異なるデータのうち所定の画像データとの関連付けを許可するフォーマットを表したリンク情報に基づいて、リンクが許可されたデータに対応付けて画像データを再生することを特徴としている。特に、ここでのリンク情報とは、異なるフォーマットで作成された複数の異なるデータのうち秘匿領域に記録されるオーディオデータに画像データの関連付けを許可するフォーマットを表した対応テーブルである。
【００４０】
記録再生部４は、従来のミニディスク９０に対して記録再生する記録処理系を示している。記録再生部４は、ミニディスク９０の記録方式であるＥＦＭ変調・ＡＣＩＲＣエンコードを実行する構成を備え、再生処理系として、ミニディスク９０を再生するためのＥＦＭ復調・ＡＣＩＲＣデコードを実行する構成とを備える。また、メディアドライブ部１１は、装填されたミニディスク９０をスピンドルモータ３１によってＣＬＶ方式又はＺＣＡＶ方式にて回転駆動する。記録再生時には、このミニディスク９０に対して、光学ヘッド３２からレーザ光が照射される。
【００４１】
光学ヘッド３２は、記録時に記録トラックをキュリー温度まで加熱するための高レベルのレーザ出力を行い、また再生時には、磁気カー効果により反射光からデータを検出するための比較的低レベルのレーザ出力を行う。このため光学ヘッド３２は、レーザ出力手段としてのレーザダイオード、偏光ビームスプリッタ、対物レンズ等からなる光学系及び反射光を検出するためのディテクタが搭載されている。光学ヘッド３２に備えられる対物レンズとしては、例えば２軸機構によってディスク半径方向及びディスクに接離する方向に変位可能に保持されている。
【００４２】
本具体例では、媒体表面の物理的仕様が異なる複数種類のミニディスクに対して記録再生可能とし、両ディスクに対して最大限の再生特性を得るために、光学ヘッド３２の読取光光路中にデータ読み取り時のビットエラーレートを最適化できる位相補償板を設ける。
【００４３】
ミニディスク９０を挟んで光学ヘッド３２と対向する位置には、磁気ヘッド３３が配置されている。磁気ヘッド３３は、記録データによって変調された磁界をミニディスク９０に印加する。また、図示しないが光学ヘッド３２全体及び磁気ヘッド３３をディスク半径方向に移動させためのスレッドモータ及びスレッド機構が備えられている。
【００４４】
このメディアドライブ部１１では、光学ヘッド３２、磁気ヘッド３３による記録再生ヘッド系、スピンドルモータ３１によるディスク回転駆動系のほかに、記録処理系、再生処理系、サーボ系等が設けられる。記録処理系としては、ミニディスク９０への記録時にＥＦＭ変調、ＡＣＩＲＣエンコードを行う部位が設けられる。また、再生処理系として、ミニディスク９０の再生時にＥＦＭ変調に対応する復調及びＡＣＩＲＣデコードを行う部位が設けられる。
【００４５】
光学ヘッド３２のミニディスク９０に対するレーザ照射によりその反射光として検出された情報（フォトディテクタによりレーザ反射光を検出して得られる光電流）は、ＲＦ信号処理部３４に供給される。ＲＦ信号処理部３４では、入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ミニディスク９０にトラックのウォブリングにより記録されているＡＤＩＰ情報）等を抽出する。
【００４６】
ミニディスク９０の再生時には、ＲＦ信号処理部３４で得られた再生ＲＦ信号は、ＡＤＩＰ＿ＰＬＬ回路３５及びＥＦＭ＿ＰＬＬ回路３６を介して、ＥＦＭ及び／又はＡＣＩＲＣ符号化復調部（ＥＦＭ／ＡＣＩＲＣコーデック）３７で処理される。また、ＲＦ信号処理部３４から出力されるトラッキングエラー信号（Detrack）、フォーカスエラー信号（Defocus）、レンズシフト信号（LensShift）は、後段の各サーボ信号処理回路に供給され、グルーブ情報は、ＡＤＩＰ＿ＰＬＬ回路３５に供給される。ＡＤＩＰ＿ＰＬＬ回路３５は、グルーブ情報に対してバンドパスフィルタにより帯域制限してウォブル成分を抽出した後、ＦＭ復調、バイフェーズ復調を行ってＡＤＩＰアドレスを抽出する。また、グルーブ情報は、スピンドルサーボ制御のためにサーボ信号処理回路４６に戻される。
【００４７】
再生ＲＦ信号は、ＥＦＭ及び／又はＡＣＩＲＣ符号化復調部３７で２値化されてＥＦＭ信号列とされた後、ＥＦＭ復調され、更にＡＣＩＲＣ復調のための誤り訂正及びデインターリーブ処理が行われる。オーディオデータであれば、この時点でＡＴＲＡＣ圧縮データの状態である。復調されたＡＴＲＡＣ圧縮データは、ミニディスク９０からの再生データとしてメモリコントローラ３８を介してＤＲＡＭ３９に出力され、ＡＴＲＡＣ符号化復号部（ＡＴＲＡＣコーデック）４０にてＡＴＲＡＣ復号され、ＡＤ／ＤＡコンバータ４１及びアンプ４２を介してヘッドホン或いはスピーカといった出力部４３から出力される。コンテンツ記録再生装置１は、マイク４４、アンプ４５、ＡＤ／ＤＡコンバータ４１を介して外部音声を取得する。
【００４８】
サーボ信号処理回路４６は、例えばグルーブ情報に対して再生クロック（デコード時のＰＬＬ系クロック）との位相誤差を積分して得られる誤差信号に基づき、ＣＬＶサーボ制御及びＺＣＡＶサーボ制御のためのスピンドルエラー信号を生成し、駆動回路５０に送る。また、サーボ信号処理回路４７，４８，４９は、ＲＦ信号処理部３４から供給されたトラッキングエラー信号、フォーカスエラー信号、レンズシフト、トラックジャンプ指令、アクセス指令等に基づいて各種サーボ制御信号（トラッキング制御信号、フォーカス制御信号、スレッド制御信号、スピンドル制御信号等）を生成し、各駆動回路５１，５２，５３に対して出力する。すなわち、各サーボ信号処理回路は、上記サーボエラー信号又は指令に対して位相補償処理、ゲイン処理、目標値設定処理等の必要処理を行って各種サーボ制御信号を生成する。
【００４９】
各駆動回路５０，５１，５２，５３では、サーボ信号処理回路から供給されたサーボ制御信号に基づいて所定のサーボドライブ信号を生成する。ここでのサーボドライブ信号としては、２軸機構を駆動する２軸ドライブ信号（フォーカス方向、トラッキング方向の２種）、スレッド機構を駆動するスレッドモータ駆動信号、スピンドルモータ３１を駆動するスピンドルモータ駆動信号となる。このようなサーボドライブ信号により、ミニディスク９０に対するフォーカス制御、トラッキング制御、及びスピンドルモータ３１に対するＣＬＶ制御又はＺＣＡＶ制御が行われる。
【００５０】
ミニディスク９０に対して記録動作が実行される際には、図１に示したメモリ転送コントローラ１２からのデータ、或いは音声データ処理部１９からの通常のＡＴＲＡＣ圧縮データが供給される。ミニディスク９０に対する記録時は、ＥＦＭ及び／又はＡＣＩＲＣ符号化復調部３７が機能する。オーディオ信号であれば、音声データ処理部１９からの圧縮データは、ＡＣＩＲＣエンコーダでインターリーブ及びエラー訂正コード付加が行われた後、ＥＦＭ変調される。ＥＦＭ変調データが磁気ヘッドドライバ５４に供給され、磁気ヘッド３３がミニディスク９０に対してＥＦＭ変調データに基づいた磁界印加を行うことで変調されたデータが記録される。
【００５１】
ところで本具体例のように、ミニディスク９０に秘匿領域と通常記録領域とが生成され、各領域に記録されるデータが予め決められている場合には、システムコントローラ１８は、記録再生するデータがオーディオトラックかデータトラックかに応じて指定された記録領域に基づいたアクセスをメディアドライブ部に指示することになる。コンテンツ記録再生装置１では、装着されたミニディスク９０に対して、ＰＣ用のデータ又はオーディオデータの何れか一方のみを記録許可し、これ以外のデータの記録を禁止する制御を行うようにもできる。すなわち、ＰＣ用のデータとオーディオデータとを混在しないように制御することもできる。
【００５２】
続いて、コンテンツ記録再生装置１にて使用可能となるミニディスク９０について説明する。ここで適用できるミニディスク９０としては、従来の光磁気記録方式の変調方式を工夫した記録媒体と、従来の光磁気記録方式を採用したミニディスクの記録再生方式として通常用いられる記録フォーマットとは異なる信号方式を適用することによって秘匿性の向上と記録容量の高密度化を実現した記録媒体とがあげられる。
【００５３】
このミニディスク９０は、高密度記録技術及び新規ファイルシステムを適用することによって、従来のミニディスクと筐体外形及び記録再生光学系に互換性を有しつつ記録容量を実現している。勿論、従来の光磁気記録方式を採用したディスクに、著作権保護のための情報、データ改竄チェックのための情報、他の非公開情報等を記録するエリアを設けて秘匿性をもたせることもできる。
【００５４】
ミニディスク９０では、一連のオーディオトラック及びデータトラックは、ディスク上で必ずしも物理的に連続して記録される必要はなく、複数のパーツに分割して記録されていてもよい。パーツとは、物理的に連続して記録される区間を示す。すなわち、物理的に離れた２つのＰＣデータ記録領域が存在する場合でも、データトラックの数としては、１つとして扱われる場合もあり、複数トラックとして扱われる場合もある。
【００５５】
以下では、ミニディスク９０の仕様例について説明する。まず、従来のミニディスクの仕様について説明する。ミニディスク（及びＭＤ−ＤＡＴＡ）の物理フォーマットは、以下のように定められている。トラックピッチは、１．６μｍ、ビット長は、０．５９μｍ／ｂｉｔとなる。また、レーザ波長λは、λ＝７８０ｎｍであり、光学ヘッドの開口率は、ＮＡ＝０．４５としている。記録方式としては、グルーブ（ディスク盤面上の溝）をトラックとして記録再生に用いるグルーブ記録方式を採用している。また、アドレス方式は、ディスク盤面上にシングルスパイラルのグルーブを形成し、このグルーブの両側に対してアドレス情報としてのウォブル（Wobble）を形成したウォブルドグルーブを利用する方式をとっている。なお、本明細書では、ウォブルとして記録される絶対アドレスをＡＤＩＰ（Address in Pregroove）ともいう。従来のミニディスクでは、記録データの変調方式としてＥＦＭ（８−１４変換）変調方式が採用されている。また、誤り訂正方式としては、ＡＣＩＲＣ（Advanced Cross Interleave Reed-Solomon Code）を用いている。また、データインターリーブには、畳み込み型を採用している。これにより、データの冗長度は、４６．３％となっている。また、従来のミニディスクにおけるデータの検出方式は、ビットバイビット方式であって、ディスク駆動方式としては、ＣＬＶ（Constant Linear Velocity）が採用されている。ＣＬＶの線速度は、１．２ｍ／ｓである。記録再生時の標準のデータレートは、１３３ｋＢ／ｓ、記録容量は、１６４ＭＢ（ＭＤ−ＤＡＴＡでは、１４０ＭＢ）である。また、データの最小書換単位（クラスタ）は、３２個のメインセクタと４個のリンクセクタによる３６セクタで構成されている。
【００５６】
これに対して、本具体例で使用するミニディスク９０のうち従来ミニディスクと変調方式を変更したディスクの一例としては、上述した従来のミニディスクと記録媒体の物理的仕様が同一であって、トラックピッチは、１．６μｍ、レーザ波長λは、λ＝７８０ｎｍであり、光学ヘッドの開口率は、ＮＡ＝０．４５である。記録方式としては、グルーブ記録方式を採用している。また、アドレス方式は、ＡＤＩＰを利用する。このように、ディスクドライブ装置における光学系の構成、ＡＤＩＰアドレス読出方式、及びサーボ処理は、従来のミニディスクと同様であるため、従来ディスクとの互換性が達成されている。また、このミニディスクは、記録データの変調方式として、高密度記録に適合したＲＬＬ（１−７）ＰＰ変調方式（ＲＬＬ：Run Length Limited、ＰＰ：Parity preserve/Prohibit rmtr（repeated minimum transition runlength））を採用している。また、誤り訂正方式としては、より訂正能力の高いＢＩＳ（Burst Indicator Subcode）付きのＲＳ−ＬＤＣ（Reed Solomon−Long Distance Code）方式を用いている。また、データインターリーブは、ブロック完結型としている。これによりデータの冗長度は、２０．５０％になる。また、データの検出方式は、ＰＲ（１，２，１）ＭＬによるビタビ復号方式を適用する。
【００５７】
この場合、ディスク駆動方式は、同様でＣＬＶ方式を用い、その線速度は、２．４ｍ／ｓとする。記録再生時の標準データレートは、４．４ＭＢ／ｓである。この方式を採用することにより、総記録容量を３００ＭＢにすることができる。変調方式をＥＦＭからＲＬＬ（１−７）ＰＰ変調方式とすることによって、ウインドウマージンが０．５から０．６６６となるため、１．３３倍の高密度化が実現できる。また、データの最小書換単位であるクラスタは、１６セクタ、６４ｋＢで構成される。このように記録変調方式をＣＩＲＣ方式からＢＩＳ付きのＲＳ−ＬＤＣ方式及びセクタ構造の差異とビタビ復号を用いる方式にすることで、データ効率が５３．７％から７９．５％となるため、１．４８倍の高密度化が実現できている。これらを総合すると、記録容量を従来ミニディスクの約２倍である３００ＭＢにすることができる。具体的には、このミニディスク９０は、例えば、磁壁移動検出方式（ＤＷＤＤ：Domain Wall Displacement Detection）等の高密度化記録技術を適用した記録媒体であって、従来のミニディスクとは、物理フォーマットが異なっている。ミニディスク９０は、トラックピッチが１．２５μｍ、ビット長が０．１６μｍ／ｂｉｔであり、線方向に高密度化されている。また、従来ミニディスクとの互換をとるため、光学系、読出方式、サーボ処理等は、従来の規格に準じて、レーザ波長λは、λ＝７８０ｎｍ、光学ヘッドの開口率は、ＮＡ＝０．４５とする。記録方式は、グルーブ記録方式、アドレス方式は、ＡＤＩＰを利用した方式とする。また、筐体外形も従来ミニディスクと同一規格とされている。
【００５８】
但し、従来ミニディスクと同等の光学系を用いて、従来ミニディスクのトラックピッチよりも狭いトラックピッチ及び線密度（ビット長）を読み取る際には、デトラックマージン、ランド及びグルーブからのクロストーク、ウォブルのクロストーク、フォーカス漏れ、ＣＴ信号等における制約条件を解消する必要がある。そのため、ミニディスク９０では、グルーブの溝深さ、傾斜、幅等が変更されている。具体的には、グルーブの溝深さが１６０ｎｍ〜１８０ｎｍ、傾斜が６０°〜７０°、幅が６００ｎｍ〜８００ｎｍになっている。
【００５９】
また更に、通常用いられる記録フォーマットとは異なる信号方式を適用したミニディスク９０の場合、記録データの変調方式として、高密度記録に適合したＲＬＬ（１−７）ＰＰ変調方式（ＲＬＬ：Run Length Limited、ＰＰ：Parity preserve/Prohibit rmtr（repeated minimum transition runlength））を採用している。また、誤り訂正方式としては、より訂正能力の高いＢＩＳ（Burst Indicator Subcode）付きのＲＳ−ＬＤＣ（Reed Solomon−Long Distance Code）方式を用いている。データインターリーブは、ブロック完結型とする。これによりデータの冗長度は、２０．５０％になる。またデータの検出方式は、ＰＲ（１，−１）ＭＬによるビタビ復号方式を用いる。また、データの最小書換単位であるクラスタは、１６セクタ、６４ｋＢで構成されている。
【００６０】
この場合のディスク駆動方式には、ＺＣＡＶ方式を用い、その線速度は、２．０ｍ／ｓとする。記録再生時の標準データレートは、９．８ＭＢ／ｓである。したがって、ミニディスク９０では、ＤＷＤＤ方式及びこの駆動方式を採用することにより、総記録容量を１ＧＢ程度としている。
【００６１】
ここまで説明してきたような次世代ディスクに対応するために、図４に示す本例のコンテンツ記録再生装置１では、記録再生部４として、図６に示す構成のストレージ部を備えて、データの記録・再生を行うものとされる。これは、図５にて説明した従来の記録媒体９０としてミニディスクに対してオーディオデータの記録再生をするコンテンツ記録再生装置１の一部を変更することで構成される。なお、図５と同様のブロックに関しては同様の番号を付して説明を省略する。
【００６２】
図６の記録再生部４は、図５に示したコンテンツ記録再生装置１のスピンドルモータ３１、光学ヘッド３２、磁気ヘッド３３、ＲＦ信号処理部３４、ＡＤＩＰ＿ＰＬＬ回路３５、ＥＦＭ＿ＰＬＬ回路３６、ＥＦＭ及び／又はＡＣＩＲＣ符号化復調部（ＥＦＭ／ＡＣＩＲＣコーデック）３７、サーボ信号処理回路４６、サーボ信号処理回路４７，４８，４９、駆動回路５０，５１，５２，５３、磁気ヘッドドライバ５４で構成される記録再生を置き換えることになる。
【００６３】
図６において、この記録再生部４では、装填されたディスク９０をスピンドルモータ３１によってＣＬＶ方式で回転駆動させる。そして、このディスク９０に対しては記録／再生時に光学ヘッド３２によってレーザ光が照射される。
【００６４】
なお、この場合、ディスク９０としては、現行のＭＤ仕様のディスクと、第１の次世代ＭＤの仕様のディスクと、第２の次世代ＭＤの仕様のディスクとが装着される可能性があることから、これらのディスクにより線速度が異なるものとなる。
【００６５】
このため、スピンドルモータ３１は、装填されたディスク９０の別に応じた異なる線速度に対応して回転されることになる。
【００６６】
光学ヘッド３２は、記録時には記録トラックをキュリー温度まで加熱するための高レベルのレーザ出力を行い、また再生時には磁気カー効果により反射光からデータを検出するための比較的低レベルのレーザ出力を行う。このため、光学ヘッド３２には、図示は省略するがレーザ出力手段としてのレーザダイオード、偏光ビームスプリッタや対物レンズ等からなる光学系、及び反射光を検出するためのディテクタが搭載されている。光学ヘッド３２に備えられる対物レンズとしては、例えば２軸機構によってディスク半径方向及びディスクに接離する方向に変位可能に保持されている。
【００６７】
また、ディスク９０を挟んで光学ヘッド３２と対向する位置には磁気ヘッド３３が配置されている。磁気ヘッド３３は記録データによって変調された磁界をディスク９０に印加する動作を行う。
【００６８】
また、図示しないが光学ヘッド３２全体及び磁気ヘッド３３をディスク半径方向に移動させためスレッドモータ及びスレッド機構が備えられている。
【００６９】
光学ヘッド３２及び磁気ヘッド３３は、第２の次世代ＭＤのディスクの場合には、パルス駆動磁界変調を行うことで、微少なマークを形成することができる。現行ＭＤのディスクや、第１の次世代ＭＤのディスクの場合には、磁界変調方式とされる。
【００７０】
また、この記録再生部４では、光学ヘッド３２、磁気ヘッド３３による記録再生ヘッド系、スピンドルモータ３１によるディスク回転駆動系のほかに、記録処理系、再生処理系、サーボ系等が設けられる。
【００７１】
記録処理系では、現行のＭＤシステムのディスクの場合において、オーディオトラックの記録時に、ＡＣＩＲＣでエラー訂正符号化を行い、ＥＦＭで変調してデータを記録する部位と、第１，第２の次世代ＭＤの場合に、ＢＩＳとＬＤＣを組み合わせた方式でエラー訂正符号化を行い、１−７ｐｐ変調により変調して記録する部位が設けられる。
【００７２】
再生処理系では、現行のＭＤシステムのディスクの再生時に、ＥＦＭの復調とＡＣＩＲＣによるエラー訂正処理と、第１，第２の次世代ＭＤシステムのディスクの再生時に、パーシャルレスポンス及びビタビ復号を用いたデータ検出に基づく１−７ｐｐ復調と、ＢＩＳとＬＤＣによるエラー訂正処理とを行う部位が設けられる。
【００７３】
また、現行のＭＤシステムや第１の次世代ＭＤのＡＤＩＰ信号よるアドレスをデコードする部位と、第２の次世代ＭＤのＡＤＩＰ信号をデコードする部位とが設けられる。
【００７４】
光学ヘッド３２のディスク９０に対するレーザ照射によりその反射光として検出された情報（フォトディテクタによりレーザ反射光を検出して得られる光電流）は、ＲＦアンプ３４に供給される。
【００７５】
ＲＦアンプ３４では入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク９０にトラックのウォブリングにより記録されているＡＤＩＰ情報）等を抽出する。
【００７６】
現行のＭＤシステムのディスクを再生するときには、ＲＦアンプで得られた再生ＲＦ信号は、ＥＦＭ復調部６８及びＡＣＩＲＣデコーダ６９で処理される。
【００７７】
すなわち再生ＲＦ信号は、ＥＦＭ復調部６８で２値化されてＥＦＭ信号列とされた後、ＥＦＭ復調され、更にＡＣＩＲＣデコーダ６９で誤り訂正及びデインターリーブ処理される。つまりこの時点でＡＴＲＡＣ圧縮データの状態となる。
【００７８】
そして現行のＭＤシステムのディスクの再生時には、セレクタ７０はＢ接点側が選択されており、その復調されたＡＴＲＡＣ圧縮データがディスク９０からの再生データとして出力される。
【００７９】
一方、第１，第２の次世代ＭＤのディスクを再生するときには、ＲＦアンプ３４で得られた再生ＲＦ信号は、ＲＬＬ（１−７）ＰＰ復調部６６及びＲＳ−ＬＤＣデコーダ６９で処理される。すなわち再生ＲＦ信号は、ＲＬＬ（１−７）ＰＰ復調部６６において、ＰＲ（６６８）ＭＬ又はＰＲ（１，−１）ＭＬ及びビタビ復号を用いたデータ検出によりＲＬＬ（１−７）符号列としての再生データを得、このＲＬＬ（１−７）符号列に対してＲＬＬ（１−７）復調処理が行われる。そして更にＲＳ−ＬＤＣデコーダ６７で誤り訂正、及びデインターリーブ処理される。
【００８０】
そして、第１，第２の次世代ＭＤのディスクの再生時には、セレクタ７０はＡ接点側が選択されており、その復調されたデータがディスク９０からの再生データとして出力される。
【００８１】
ＲＦアンプ３４から出力されるトラッキングエラー信号、フォーカスエラー信号はサー
ボ回路４６に供給され、グルーブ情報はＡＤＩＰ復調部８０に供給される。
【００８２】
ＡＤＩＰ復調部８０は、グルーブ情報に対してバンドパスフィルタにより帯域制限してウォブル成分を抽出した後、ＦＭ復調、バイフェーズ復調を行ってＡＤＩＰ信号を復調する。
【００８３】
そして、このように復調された、ディスク上の絶対アドレス情報であるＡＤＩＰアドレスは、図１に示される制御部９に供給される。制御部９ではＡＤＩＰアドレスに基づいて所要の制御処理を実行する。
【００８４】
またグルーブ情報はスピンドルサーボ制御のためにサーボ回路４６に供給される。
【００８５】
サーボ回路４６は、例えばグルーブ情報に対して再生クロック（デコード時のＰＬＬ系クロック）との位相誤差を積分して得られる誤差信号に基づき、ＣＬＶサーボ制御のためのスピンドルエラー信号を生成する。
【００８６】
またサーボ回路４６は、スピンドルエラー信号や、ＲＦアンプ３４から供給されたトラッキングエラー信号、フォーカスエラー信号、或いは制御部９からのトラックジャンプ指令、アクセス指令等に基づいて各種サーボ制御信号（トラッキング制御信号、フォーカス制御信号、スレッド制御信号、スピンドル制御信号等）を生成し、モータドライバ５０に対して出力する。すなわち上記サーボエラー信号や指令に対して位相補償処理、ゲイン処理、目標値設定処理等の必要処理を行って各種サーボ制御信号を生成する。
【００８７】
モータドライバ５０では、サーボ回路４６から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ３１を駆動するスピンドルモータ駆動信号となる。
【００８８】
このようなサーボドライブ信号により、ディスク９０に対するフォーカス制御、トラッキング制御、及びスピンドルモータ３１に対するＣＬＶ制御が行われることになる。
【００８９】
現行のＭＤシステムのディスクでオーディオデータを記録するときには、セレクタ６５がＢ接点に接続され、したがってＡＣＩＲＣエンコーダ６３及びＥＦＭ変調部６４が機能することになる。
【００９０】
この場合、記録データとして図４に示されるバッファメモリ１６から供給される圧縮データは、ＡＣＩＲＣエンコーダ６３でインターリーブ及びエラー訂正コード付加が行われた後、ＥＦＭ変調部６４でＥＦＭ変調が行われる。
【００９１】
そして、ＥＦＭ変調データがセレクタ６５を介して磁気ヘッドドライバ５４に供給され、磁気ヘッド３３がディスク９０に対してＥＦＭ変調データに基づいた磁界印加を行うことでオーディオトラックの記録が行われる。
【００９２】
これに対し、第１の次世代ＭＤ又は第２の次世代ＭＤ２ディスクにデータを記録するときには、セレクタ６５がＡ接点に接続され、ＲＳ−ＬＤＣエンコーダ６１及びＲＬＬ（１−７）ＰＰ変調部６２が機能することになる。この場合、バッファメモリ１６からの高密度データは、ＲＳ−ＬＤＣエンコーダ６１でインターリーブ及びＲＳ−ＬＤＣ方式のエラー訂正コード付加が行われた後、ＲＬＬ（１−７）ＰＰ変調部６２でＲＬＬ（１−７）変調が行われる。
【００９３】
そして、ＲＬＬ（１−７）符号列としての記録データがセレクタ６５を介して磁気ヘッドドライバ５４に供給され、磁気ヘッド３３がディスク９０に対して変調データに基づいた磁界印加を行うことでデータトラックの記録が行われる。
【００９４】
レーザドライバ／ＡＰＣ６０は、上記のような再生時及び記録時においてレーザダイオードにレーザ発光動作を実行させるが、いわゆるＡＰＣ（Automatic Laser Power Control）動作も行う。
【００９５】
つまり、図示していないが、光学ヘッド３２内にはレーザパワーモニタ用のディテクタが設けられ、そのモニタ信号がレーザドライバ／ＡＰＣ６０にフィードバックされる。レーザドライバ／ＡＰＣ６０は、モニタ信号として得られる現在のレーザパワーを、設定されているレーザパワーと比較して、その誤差分をレーザ駆動信号に反映させることで、レーザダイオードから出力されるレーザパワーが、設定値で安定するように制御している。なお、レーザパワーとしては、再生レーザパワー、記録レーザパワーとしての値が制御部９によって、レーザドライバ／ＡＰＣ６０内部のレジスタにセットされる。
【００９６】
以上の各動作（アクセス、各種サーボ、データ書込、データ読出の各動作）は、図１に示される制御部９からの指示に基づいて実行されるものとなる。
【００９７】
ここで本具体例に示すミニディスク９０の盤面上のエリア構造例を図７、図８に模式的に示す。ミニディスク９０のディスクの最内周側には、プリマスタードエリアとして、ＰＴＯＣ（Premasterd Table Of Contents）が設けられている。ここには、ディスク管理情報が物理的な構造変形によるエンボスピットとして記録されている。プリマスタードエリアよりも外周は、光磁気記録可能なレコーダブルエリアとされ、記録トラックの案内溝としてのグルーブが形成された記録再生可能領域である。このレコーダブルエリアの最内周側は、ＵＴＯＣ（User Table Of Contents）領域であって、このＵＴＯＣ領域には、ＵＴＯＣ情報が記述されるとともに、プリマスタードエリアとの緩衝エリアとレーザ光の出力パワー調整等のために用いられるパワーキャリブレーションエリアとが設けられている。
【００９８】
ミニディスク９０は、図８に示すように、高密度化を図るためにプリピットを用いないため、従来の光磁気記録方式を採用したミニディスクの記録再生方式として通常用いられる記録フォーマットとは異なる信号方式を適用したミニディスクには、ＰＴＯＣ領域がない。この場合のミニディスク９０には、レコーダブルエリアの更に内周領域に著作権保護のための情報、データ改竄チェックのための情報、他の非公開情報等を記録するユニークＩＤエリア（Unique ID：ＵＩＤ）が設けられている。このＵＩＤエリアは、ミニディスク９０に適用されるＤＷＤＤ方式とは異なる記録方式で記録されている。
【００９９】
なお、ここで説明した各ディスクには、音楽データ用のオーディオトラックとデータトラックとを混在記録することもできる。この場合、例えば、図９に示すように、データエリアに少なくとも１つのオーディオトラックが記録されたオーディオ記録領域ＡＡと、少なくとも１つのデータトラックが記録されたＰＣ用データ記録領域ＤＡとがそれぞれ任意の位置に形成されることになる。
【０１００】
以上説明したコンテンツ記録再生装置１によれば、リンク情報によって、ＡＴＲＡＣ方式、ＡＴＲＡＣ３方式、ＡＴＲＡＣ３ｐｌｕｓ方式というフォーマットのデータのみに対して、ＪＰＥＧ形式、ＧＩＦ形式、ＴＩＦＦ形式等、汎用フォーマットに基づく画像データをリンク可能とし、ＭＰ３形式、ＷＭＡ形式等、ＡＴＲＡＣ形式以外のオーディオデータ及び画像データとはリンクを許可しないようにしたことにより、少なくともコンテンツ記録再生装置１と同様の圧縮符号化形式に基づいてデータを記録再生することができ、かつ秘匿領域をもったミニディスクが再生可能な機器同士の間では、音楽データに画像データをリンクしたファイルの互換性が保障され、音楽データとともに音楽データにリンクする情報に対して著作権保護が達成できる。
【０１０１】
なお、以上の説明ではオーディオデータとリンク再生が許可されたデータ形式として画像ファイルを例にあげて説明した。しかしこれに限定されず、これ以外には例えば、オーディオデータが音楽データである場合、歌詞情報をオーディオデータの再生時に表示することが可能である。そのため、オーディオデータとリンクして再生される情報としてテキストデータファイルであることも考えられる。
【０１０２】
現在は、リンク情報によって画像データとのリンクが許可されたオーディオデータフォーマットは、ＡＴＲＡＣファミリ形式でエンコード及びデコードされる秘匿領域に記録されるオーディオデータに限定されているが、図４のリンク情報メモリ１０を、書き換え可能なノンボラタルメモリとし、画像とリンク可能な記録媒体９０の秘匿領域に記録されるオーディオフォーマットを追加削除することも可能である。この場合、例えばＰＣ１００上にリンク情報をアップデートするアプリケーションソフトを置き、ＵＳＢハブ１８，ＵＳＢインターフェイス２０を介して制御部９が互いに認証を行った後に、リンク情報をＰＣ１００から制御部９が受け取りリンク情報メモリ１０に記憶されているリンクテーブルをアップデートすることで可能となる。また、例えばリンク情報メモリ１０を更新するためのデータが記録されている記録媒体９０がコンテンツ記録再生装置１に装着され、記録再生部４によって再生された更新用データを制御部９が正当性を評価した後、正当と評価された更新データを用いてリンク情報メモリ１０に記憶されているリンク情報を更新するようにしてもよい。
【０１０３】
このようにリンク可能なオーディオフォーマットが更新されるようになっていることで、将来、例えばＡＡＣ形式のオーディオフォーマットでエンコードされたオーディオファイルも秘匿領域に記録されることが可能になり、通常記録領域に記録された画像データとＡＡＣフォーマットのオーディオデータとの関連付けが可能となる。
【０１０４】
本発明は、リンク情報によってリンク可能なファイル形式同士を指定し、かつ指定されたファイルの一方は記録媒体の特定領域に記録することでほかのファイルと区別して扱われるものであればよいため、秘匿領域及び通常記録領域を有するディスクにおいてＡＴＲＡＣ形式を扱う場合に限らず、特定領域に特定データを記録することが決められた記録媒体の記録再生装置であれば適用できる。
【０１０５】
実際の使用例としては、例えば、ユーザがコンテンツ記録再生装置１を用いて録音したプレゼンテーションの内容に、そのとき提示された資料のデータを提示されたタイミングで画像データとしてリンクする場合、また、語学等の学習用教材として、実際の発音を音声データとして録音し、所定のタイミングで文例をリンク画像として表示する場合等があげられる。
【図面の簡単な説明】
【０１０６】
【図１】本発明の具体例として示すコンテンツ記録再生装置の概略を説明する図である。
【図２】上記コンテンツ記録再生装置においてオーディオフォーマットにリンク可能な画像データの対応を示すリンク情報を説明する図である。
【図３】リンク可能なオーディオファイルに画像データファイルをリンクするタイミングを示したリンクタイミングテーブルを説明する図である。
【図４】上記コンテンツ記録再生装置を説明する構成図である。
【図５】上記コンテンツ記録再生装置のメディアドライブ部を説明する構成図である。
【図６】上記コンテンツ記録再生装置のストレージ部を説明する構成図である。
【図７】上記コンテンツ記録再生装置にて記録再生されるミニディスクの盤面上のエリア構造例を説明する模式図である。
【図８】上記コンテンツ記録再生装置にて記録再生されるミニディスクの盤面上のエリア構造例を説明する模式図である。
【図９】上記ミニディスクにオーディオデータとＰＣ用データとを混在記録した場合の盤面上のエリア構成を説明する模式図である。
【符号の説明】
【０１０７】
１  コンテンツ記録再生装置、  ２    データ記録再生制御部、  ３    画像処理部、  ４    記録再生部、  ５    オーディオデータ入力部、  ６    オーディオデータ出力部、  ７    オーディオデータ処理部、  ８    外部インタフェイス部、  ９    制御部、  １０    リンク情報メモリ、  １１  入力操作部、  １２    画像取得部、  １３    表示部、  １４    画像データ制御部
【図１】
2005203076.tif 000003
【図２】
2005203076.tif 000004
【図３】
2005203076.tif 000005
【図４】
2005203076.tif 000006
【図５】
2005203076.tif 000007
【図６】
2005203076.tif 000008
【図７】
2005203076.tif 000009
【図８】
2005203076.tif 000010
【図９】
2005203076.tif 000011